(57)【要約】【課題】製造が容易であり、シールドテープの緩みを防止して伝送特性の劣化を防止でき、かつ、端末にてシールドテープを容易に露出できる差動信号伝送用ケーブル及び多芯ケーブルを提供する。【解決手段】差動信号を伝送する一対の中心導体２と、中心導体２の周囲を覆う絶縁体３と、絶縁体３の周囲に縦添え巻きされたシールドテープ４と、一方の面に紫外線硬化型粘着剤が塗布され、当該紫外線硬化型粘着剤が塗布された面が内側となるように、シールドテープ４の周囲に螺旋状に巻回された絶縁テープ５と、を備えたものである。【選択図】図１
2014059957.tif 000002
【特許請求の範囲】
【請求項１】
差動信号を伝送する一対の中心導体と、
該中心導体の周囲を覆う絶縁体と、
該絶縁体の周囲に縦添え巻きされたシールドテープと、
一方の面に紫外線硬化型粘着剤が塗布され、当該紫外線硬化型粘着剤が塗布された面が内側となるように、前記シールドテープの周囲に螺旋状に巻回された絶縁テープと、
を備えたことを特徴とする差動信号伝送用ケーブル。
【請求項２】
前記紫外線硬化型粘着剤は、紫外線硬化樹脂を含み、紫外線の照射により粘着力が低減する
請求項１記載の差動信号伝送用ケーブル。
【請求項３】
複数の差動信号伝送用ケーブルを撚り合わせ、その周囲に保護用のジャケットを設けた多芯ケーブルにおいて、
前記差動信号伝送用ケーブルの少なくとも１つに、請求項１または２記載の差動信号伝送用ケーブルを用いた
ことを特徴とする多芯ケーブル。
【発明の詳細な説明】
【技術分野】
【０００１】
本発明は、シールドテープが縦添え巻きされた構造の差動信号伝送用ケーブル及び多芯ケーブルに関するものである。
【背景技術】
【０００２】
電子機器間における高速電気信号伝送では、差動信号を用いて信号を伝送している。このような差動信号を伝送する差動信号伝送用ケーブルとして、従来より、差動信号を伝送する一対の中心導体の周囲に絶縁体を設け、その絶縁体の周囲に、絶縁体層の一方の面に導体層を設けたシールドテープを巻き付けた構造の差動信号伝送用ケーブルが知られている。
【０００３】
このような差動信号伝送用ケーブルにおいて、絶縁体の周囲にシールドテープを螺旋状に巻き付けた場合、絶縁体層と導体層がケーブル長手方向に沿って周期的に配置されることとなるため、シールドテープの巻き付けピッチに起因して共振現象（サックアウト）が発生し、使用できる周波数帯域が制限されてしまうという問題がある。このような問題を避けるため、絶縁体の周囲にシールドテープを縦添え巻きした差動信号伝送用ケーブルが提案されている。
【０００４】
シールドテープを縦添え巻きした構造の差動信号伝送用ケーブルでは、シールドテープを絶縁体に密着させて巻き付け、シールドテープの緩みを防止する手段が必要となる。
【０００５】
特許文献１では、シールドテープの周囲に、押さえ巻き用の絶縁テープを横巻きした（螺旋状に巻き付けた）構造の差動信号伝送用ケーブルが提案されている。特許文献１では、シールドテープの周囲に粘着面が外側となるように絶縁テープを螺旋状に巻き付け、さらにその外側に、粘着面が内側となるように絶縁テープを螺旋状に、両絶縁テープの巻き方向が互いに反対となるように巻き付けており、２層の絶縁テープの粘着面同士を接着させることで両者を固定して、シールドテープの緩みを防止している。なお、シールドテープには粘着剤は塗布されていない。
【０００６】
特許文献２では、押え巻き用の絶縁テープの代わりに紫外線硬化樹脂で被覆し、その直後に紫外線を照射して硬化させシールドテープの緩みを防止する方法が提案されている。
【先行技術文献】
【特許文献】
【０００７】
【特許文献１】米国特許第７７９０９８１号明細書
【特許文献２】特開２００５−１４２０８１号公報
【発明の概要】
【発明が解決しようとする課題】
【０００８】
ところで、シールドテープの導体層を接地するためのドレイン線を有さない差動信号伝送用ケーブルにおいては、シールドテープの導体層を接地するために、端末にてシールドテープの導体層を露出させる端末処理を行う必要がある。
【０００９】
特許文献２では、シールドテープの外側を紫外線硬化樹脂で被覆しこれを硬化しているため、端末にてシールドテープの導体層を露出させることが困難である。また、特許文献２では、製造時に紫外線硬化樹脂を硬化させる（紫外線を照射する）までの間にシールドテープが緩んでしまう、紫外線硬化樹脂を硬化させるための硬化時間が必要となり量産性が低下してしまう、および、紫外線硬化樹脂を硬化させることにより屈曲特性が悪化してしまう、という問題もある。
【００１０】
これに対して、特許文献１では、シールドテープと絶縁テープが直接粘着固定されていないため、シールドテープの導体層を露出させるのが容易である。
【００１１】
しかし、特許文献１では、１層目の絶縁テープを巻いた後、２層目の絶縁テープを巻かなければ絶縁テープが固定されないため、製造時に絶縁テープが緩みやすく、その結果、シールドテープが緩んで伝送特性が劣化してしまうおそれがある。このような製造時の絶縁テープの緩みを防止するためには、２層の絶縁テープを１工程で巻く必要があり、製造工程が複雑となり製造コストが高くなってしまう。なお、シールドテープの外側導体層全面に粘着剤等を塗布することで、シールドテープの緩みを防止することも考えられるが、この場合、絶縁テープのみを剥離してシールドテープの導体層を露出させることが困難となり、端末処理および接続作業性が低下するといった問題が生じる。
【００１２】
本発明は上記事情に鑑み為されたものであり、製造が容易であり、シールドテープの緩みを防止して伝送特性の劣化を防止でき、かつ、端末にてシールドテープを容易に露出できる差動信号伝送用ケーブル及び多芯ケーブルを提供することを目的とする。
【課題を解決するための手段】
【００１３】
本発明は上記目的を達成するために創案されたものであり、差動信号を伝送する一対の中心導体と、該中心導体の周囲を覆う絶縁体と、該絶縁体の周囲に縦添え巻きされたシールドテープと、一方の面に紫外線硬化型粘着剤が塗布され、当該紫外線硬化型粘着剤が塗布された面が内側となるように、前記シールドテープの周囲に螺旋状に巻回された絶縁テープと、を備えた差動信号伝送用ケーブルである。
【００１４】
前記紫外線硬化型粘着剤は、紫外線硬化樹脂を含み、紫外線の照射により粘着力が低減してもよい。
【００１５】
また、本発明は、複数の差動信号伝送用ケーブルを撚り合わせ、その周囲に保護用のジャケットを設けた多芯ケーブルにおいて、前記差動信号伝送用ケーブルの少なくとも１つに、請求項１記載の差動信号伝送用ケーブルを用いた多芯ケーブルである。
【発明の効果】
【００１６】
本発明によれば、製造が容易であり、シールドテープの緩みを防止して伝送特性の劣化を防止でき、かつ、端末にてシールドテープを容易に露出できる差動信号伝送用ケーブル及び多芯ケーブルを提供できる。
【図面の簡単な説明】
【００１７】
【図１】本発明の一実施の形態に係る差動信号伝送用ケーブルの斜視図である。
【発明を実施するための形態】
【００１８】
以下、本発明の実施の形態を添付図面にしたがって説明する。
【００１９】
図１は、本実施の形態に係る差動信号伝送用ケーブルの斜視図である。
【００２０】
図１に示すように、差動信号伝送用ケーブル１は、差動信号を伝送する一対の中心導体２と、中心導体２の周囲を覆う絶縁体３と、絶縁体３の周囲に縦添え巻きされたシールドテープ４と、シールドテープ４の周囲に螺旋状に巻回された押さえ巻き用の絶縁テープ５と、を備えている。
【００２１】
本実施の形態では、平行に配置した一対の中心導体２を一括して覆うように絶縁体３を設けてツイナックスコア６を形成し、そのツイナックスコア６の周囲に縦添え巻きでシールドテープ４を設けるようにしている。なお、これに限らず、例えば、中心導体２を絶縁体３で被覆した２本の絶縁電線を平行、あるいは撚り合わせて配置したコアとすることも可能である。
【００２２】
本実施の形態では、絶縁体３は、断面視で楕円形状に形成され、その短軸方向における一方の頂部の近傍に、シールドテープ４の幅方向の端部同士を重なり合わせた部分であるオーバーラップ部４ａが位置するよう、シールドテープ４が縦添え巻きされている。
【００２３】
また、本実施の形態では、シールドテープ４として、ＰＥＴ（ポリエチレンテレフタレート）などからなる絶縁体層と、絶縁体層の一方の面に設けられた導体層とからなるものを用い、導体層が外側となるようにシールドテープ４を絶縁体３の周囲に縦添え巻きした。ただし、これに限らず、シールドテープ４として、導体層のみからなるもの（つまり金属箔）を用いるようにしてもよい。シールドテープ４として導体層のみからなるものを用いることで、絶縁体層の誘電率が内部の電磁界に影響を与えてしまうことがなくなり、伝送特性をより良好にすることができる。
【００２４】
シールドテープ４の導体層としては、銅を用いることが望ましい。通常、シールドテープ４の導体層として軽量なアルミニウムが用いられることが多いが、本実施の形態に係る差動信号伝送用ケーブル１はドレイン線を備えておらず、シールドテープ４の導体層に接地用の電線や端子（後述する端末処理端子）等を接続する必要がある。このときの導体層への半田付けを容易とするため、導体層として銅を用いることが望ましい。さらに、導体層に用いる銅としては、伸びや曲げに対する強度が大きい圧延銅箔、あるいは電解銅箔を用いることが望ましい。
【００２５】
さて、本実施の形態に係る差動信号伝送用ケーブル１では、絶縁テープ５として、一方の面５ａに紫外線硬化型粘着剤が塗布されたものを用い、その紫外線硬化型粘着剤が塗布された面５ａが内側となるように、絶縁テープ５をシールドテープ４の周囲に螺旋状に巻回している。絶縁テープ５は、シールドテープ４のオーバーラップ部４ａにおいて重なりが上（外側）になっている方から、重なりが下になっている方に向かうように巻き付けられる。
【００２６】
本実施の形態では、絶縁テープ５として、ＰＥＴ（ポリエチレンテレフタレート）テープの一方の面に紫外線硬化型粘着剤を塗布したものを用いた。なお、絶縁テープ５のベースとなるテープとしては、紫外線を透過するものを用いる必要がある。
【００２７】
紫外線硬化型粘着剤とは、粘着剤中に紫外線硬化樹脂を含むものであり、紫外線を照射すると粘着剤中の紫外線硬化樹脂が硬化して粘着力を失う（あるいは粘着力が低減する）ものである。紫外線硬化型粘着剤としては、例えば、アクリルコポリマーなどの粘着剤に、ウレタンアクリレートオリゴマーなどの紫外線硬化オリゴマーをブレンドしたものが知られている。
【００２８】
差動信号伝送用ケーブル１を製造する際には、紫外線硬化型粘着剤に紫外線を照射せずに粘着力を維持した状態で、絶縁テープ５をシールドテープ４の周囲に張力をかけつつ巻き付け、絶縁テープ５をシールドテープ４に直接粘着固定させることで、シールドテープ４の緩みを防止する。
【００２９】
本実施の形態で用いる絶縁テープ５は、従来より広く用いられている熱処理により粘着力を生じさせるタイプの絶縁テープとは異なり、特別な処理を行わずとも最初から粘着力があるので、リールに巻いた際の重なり部分で粘着を避けるために、紫外線硬化型粘着剤を塗布した側の面５ａに剥離紙が設けられた状態となっている。よって、製造時には、この剥離紙を剥がしながら絶縁テープ５を巻き付けることになる。
【００３０】
差動信号伝送用ケーブル１の端末処理を行う際には、まず、絶縁テープ５を除去したい部分に紫外線を照射する。絶縁テープ５に紫外線を照射すると、その紫外線を照射した部分の絶縁テープ５において紫外線硬化型粘着剤が粘着力を失うので、絶縁テープ５をシールドテープ４から容易に剥離させ、シールドテープ４の導体層を露出させることができる。紫外線を照射していない部分の紫外線硬化型粘着剤は粘着力を失わないので、絶縁テープ５を除去した部分から絶縁テープ５が剥がれてしまうことはなく、絶縁テープ５を除去した後もシールドテープ４の緩みを防止できる。
【００３１】
紫外線を照射する光源は特に限定するものではなく、紫外線の照射範囲を適宜調整できるものであればどのようなものを用いてもよい。例えば、紫外線レーザを用いて絶縁テープ５に切り込みを形成し、その切り込みの内側（つまり絶縁テープ５を除去する部分）に低出力で紫外線レーザを走査させて紫外線硬化型粘着剤の粘着力を失わせることで、所望の部分の絶縁テープ５を除去することも可能である。
【００３２】
本発明の差動信号伝送用ケーブル１を複数本撚り合わせ、その周囲に保護用のジャケットを設けると、本発明の多芯ケーブルが得られる。なお、多芯ケーブルに含まれる全てのケーブルに本発明の差動信号伝送用ケーブル１を用いなければならないというわけではなく、多芯ケーブルに含まれるケーブルの少なくとも１つに差動信号伝送用ケーブル１を用いていれば本発明に含まれる。
【００３３】
以上説明したように、本実施の形態に係る差動信号伝送用ケーブル１では、絶縁テープ５として、一方の面５ａに紫外線硬化型粘着剤が塗布されたものを用い、紫外線硬化型粘着剤が塗布された面５ａが内側となるように、シールドテープ４の周囲に絶縁テープ５を螺旋状に巻回している。
【００３４】
絶縁テープ５は張力をかけて巻かれるためシールドテープ４と絶縁テープ５は密着しており、かつ、紫外線硬化型粘着剤によりシールドテープ４と絶縁テープ５が直接粘着固定されるため、絶縁テープ５がほつれてシールドテープ４と絶縁体３との密着性が損なわれることがなく、シールドテープ４の緩みを防止して伝送特性の劣化を防止することが可能である。
【００３５】
さらに、紫外線硬化型粘着剤は紫外線の照射により粘着力を失うため、紫外線の照射により容易にシールドテープ４から絶縁テープ５を剥離することが可能になり、端末処理時に絶縁テープ５を局所的に除去し、シールドテープ４の導体層を容易に露出させることが可能になる。つまり、差動信号伝送用ケーブル１によれば、接続作業性の向上とシールドテープ４の緩み防止を両立することができる。
【００３６】
シールドテープと絶縁テープが直接粘着固定されていない特許文献１では、例えば、シールドテープの導体層を外部の機器等に接続した後にケーブルを引っ張る方向に力が働いた場合などに、シールドテープのみに応力が集中してシールドテープが破断してしまうおそれもあるが、本実施の形態に係る差動信号伝送用ケーブル１では、シールドテープ４と絶縁テープ５が直接粘着固定されているため、絶縁テープ５がシールドテープ４を補強する役割を果たし、シールドテープ４の破断を抑制することが可能になる。
【００３７】
さらに、差動信号伝送用ケーブル１では、従来のように２層の絶縁テープを１工程で巻くような複雑な工程が必要なく、製造が容易であり、製造コストも抑制できる。
【００３８】
さらにまた、本実施の形態で用いる絶縁テープ５は、熱処理等を行わずとも最初から粘着力があるので、絶縁テープ５の巻きピッチ（周方向の同じ位置まで螺旋状に巻回したときの長手方向の距離）を広くしてもシールドテープ４の緩みを防止することが可能であり、この巻きピッチを大きくすることで、絶縁テープ５を巻回する工程にかかる時間を短縮でき、量産性を向上することが可能になる。差動信号伝送用ケーブル等のケーブルの製造工程では、テープ材を巻回する工程が生産速度を律速することが多く、この工程にかかる時間を短縮できることの効果は大きい。
【００３９】
本発明は上記実施の形態に限定されるものではなく、本発明の趣旨を逸脱しない範囲で種々の変更を加え得ることは勿論である。
【符号の説明】
【００４０】
１  差動信号伝送用ケーブル
２  中心導体
３  絶縁体
４  シールドテープ
５  絶縁テープ
【図１】
2014059957.tif 000003